(57)【要約】【課題】寄生容量による誤動作を防止する。【解決手段】制御部１１０は外部から提供された外部信号ＥＳに応答して、水平開始信号ＳＴＨ、駆動電圧ＡＶＤＤ、垂直開始信号ＳＴＶ、クロック信号ＣＰＶ１、出力イネーブル信号ＯＥ１、階調電圧ＶＧＭＭＡを出力する。データドライバ１２０は水平開始信号及び及び階調電圧に応答して、データ電圧Ｖｄを提供する。増幅部１３０はクロック信号及び出力イネーブル信号を増幅し、ゲートドライバ１４０は該増幅された信号に応答して、ゲート電圧Ｖｇ１〜Ｖｇｎを順次出力する。クロック信号及び出力イネーブル信号の振幅が増大しているのでゲート電圧を増大させることができ、ゲート電圧の歪曲に起因する誤動作を防止することができる。【選択図】    図１
2006072289.tif 000002
【特許請求の範囲】
【請求項１】
外部から提供された外部信号に応答して、第１及び第２制御信号、階調電圧を出力する制御部と、
前記第２制御信号及び階調電圧に応答して、データ電圧を提供するデータドライバと、
前記第２制御信号の入力を受け、該信号を第３制御信号に増幅させる増幅部と、
前記第３制御信号に応答して、複数のゲート電圧を順次に出力するゲートドライバと、
を含むことを特徴とする駆動ユニット。
【請求項２】
前記第２制御信号は、前記ゲートドライバの動作を開始する開始信号と、前記複数のゲート電圧が出力されるタイミングを制御する第１クロック信号と、順次に出力される前記ゲート電圧に位相差を提供する第１出力イネーブル信号と、を含むことを特徴とする請求項１記載の駆動ユニット。
【請求項３】
前記増幅部は、
前記第１クロック信号と第１基準信号の入力を受けて、前記第１クロック信号と前記第１基準信号との和である第２クロック信号を出力する第１オペアンプと、
前記第１出力イネーブル信号と第２基準信号との入力を受け、前記第１出力イネーブル信号と前記第２基準信号との和である第２出力イネーブル信号を出力する第２オペアンプと、
を含むことを特徴とする請求項２記載の駆動ユニット。
【請求項４】
前記第１制御信号は、前記データドライバを駆動させる駆動電圧を含み、
前記第１及び第２オペアンプの前記第１及び第２基準信号は前記駆動電圧である
ことを特徴とする請求項３記載の駆動ユニット。
【請求項５】
前記第１及び第２オペアンプの前記第１及び第２基準信号は、前記階調電圧であることを特徴とする請求項３記載の駆動ユニット。
【請求項６】
前記増幅部は、前記データドライバに内蔵されることを特徴とする請求項１記載の駆動ユニット。
【請求項７】
複数のゲートライン、前記複数のゲートラインと絶縁されるように交差する複数のデータラインが具備され、ゲート電圧とデータ電圧に応答して画像を表示する表示パネルと、
外部から提供される外部信号に応答して、第１及び第２制御信号、階調電圧を出力する制御部と、
前記データラインと電気的に接続され、前記第１制御信号と前記階調電圧に応答して、前記データラインに前記データ電圧を提供するデータドライバと、
前記第２制御信号の入力を受け、該第２制御信号を第３制御信号に増幅させる増幅部と、
前記ゲートラインと電気的に接続され、前記第３制御信号に応答して、前記ゲートラインに前記ゲート電圧を順次に出力するゲートドライバと、
を含むことを特徴とする表示装置。
【請求項８】
前記制御部が具備される印刷回路基板と、
前記印刷回路基板と前記表示パネルの第１端部に付着されて、前記印刷回路基板と前記表示パネルとを電気的に接続させる複数の第１軟性フィルムと、
前記表示パネルの第２端部に付着される複数の第２軟性フィルムと、
をさらに含むことを特徴とする請求項７記載の表示装置。
【請求項９】
前記データドライバは複数のデータ駆動チップからなり、前記複数のデータ駆動チップは前記複数の第１軟性フィルム上にそれぞれ具備されることを特徴とする請求項８記載の表示装置。
【請求項１０】
前記ゲートドライバは複数のゲート駆動チップからなり、前記複数のゲート駆動チップは前記複数の第２軟性フィルム上にそれぞれ具備されることを特徴とする請求項９記載の表示装置。
【請求項１１】
前記複数のデータ駆動チップのうち前記ゲートドライバと最も隣接するいずれか一つのデータ駆動チップに、前記増幅部が内蔵されることを特徴とする請求項１０記載の表示装置。
【請求項１２】
前記増幅部は、前記印刷回路基板に具備されることを特徴とする請求項８記載の表示装置。
【請求項１３】
前記第２制御信号は、前記ゲートドライバの動作を開始する開始信号と、前記複数のゲート電圧が出力される時期を決定する第１クロック信号と、順次に出力される前記ゲート電圧に位相差を提供する第１出力イネーブル信号と、を含むことを特徴とする請求項７記載の駆動ユニット。
【請求項１４】
前記増幅部は、
前記第１クロック信号と第１基準信号の入力を受け、前記第１クロック信号と前記第１基準信号との和である第２クロック信号を出力する第１オペアンプと、
前記第１出力イネーブル信号と第２基準信号の入力受け、前記第１出力イネーブル信号と前記第２基準信号との和である第２出力イネーブル信号を出力する第２オペアンプと、
を含むことを特徴とする請求項１３記載の駆動ユニット。
【請求項１５】
前記第１制御信号は前記データドライバを駆動させる駆動電圧を含み、
前記第１及び第２オペアンプの前記第１及び第２基準信号は前記駆動電圧である
ことを特徴とする請求項１４記載の駆動ユニット。
【請求項１６】
前記第１及び第２オペアンプの前記第１及び第２基準信号は、前記階調電圧であることを特徴とする請求項１４記載の駆動ユニット。
【請求項１７】
前記表示パネルは、
前記制御からの前記開始信号を前記ゲートドライバに提供する開始信号配線と、
前記第１オペアンプから出力された前記第２クロック信号を前記ゲートドライバに提供するクロック信号配線と、
前記第２オペアンプから出力された第２出力イネーブル信号を前記ゲートドライバに提供する出力イネーブル信号配線と、
をさらに含むことを特徴とする請求項１４記載の表示装置。
【請求項１８】
前記表示パネルは、
前記複数のデータラインと前記複数のゲートラインが形成された第１表示基板と、
前記第１表示基板と対向して結合する第２表示基板と、
を含むことを特徴とする請求項７記載の表示装置。
【請求項１９】
前記第１表示基板は、
前記データラインと前記ゲートラインに結合されたスイッチング素子と、
前記スイッチング素子の出力端に結合された画素電極と、
を含むことを特徴とする請求項１８記載の表示装置。
【請求項２０】
前記ゲートドライバは、前記第１表示基板に形成されることを特徴とする請求項１８記載の表示装置。
【請求項２１】
前記制御部と前記外部装置とのデータ通信のためのインターフェースをさらに含むことを特徴とする請求項７記載の表示装置。
【請求項２２】
前記インターフェースは、ＴＴＬインターフェースであることを特徴とする請求項２１記載の表示装置。
【発明の詳細な説明】
【技術分野】
【０００１】
本発明は、駆動ユニット及びそれを有する表示装置に関し、より詳細には、誤動作を防止することができる駆動ユニット及びこれを有する表示装置に関する。
【背景技術】
【０００２】
一般に、表示装置の一つである液晶表示装置は、画像を表示する液晶表示パネル、液晶表示パネルを駆動するためのデータドライバ及びゲートドライバを含む。液晶表示パネルは下部基板、下部基板と対向して結合する上部基板、及び下部基板と上部基板との間に介在された液晶層からなる。下部基板には複数のデータラインと複数のゲートラインが具備される。ここで、複数のデータラインと複数のゲートラインは互いに絶縁されるように交差する。
データドライバは複数のデータラインに電圧を提供し、ゲートドライバは複数のゲートラインにゲート電圧を提供する。
一方、データ及びゲートドライバの形態及び実装の位置によって表示装置の構造が変化される。データ及びゲートドライバが複数のチップ形態からなると、データ及びゲートドライバは液晶表示パネルまたはフィルム上に実装される。
データ及びゲートドライバがフィルム上に具備される構造の場合、液晶表示装置は軟性を有するフィルムの一種であるテープキャリアパッケージ（以下：ＴＣＰ）及びゲートＴＣＰを具備する。従って、チップ形態のデータ及びゲートドライバはデータ及びゲートＴＣＰ上にそれぞれ配置される。
【０００３】
また、液晶表示装置は、データ及びゲートＴＣＰを通じて液晶表示パネルと電気的に接続されるデータ及びゲート印刷回路基板をさらに具備する。データ及びゲート印刷回路基板には、外部装置（例えば、コンピュータ）から外部信号の入力を受けるデータドライバと、ゲートドライバを制御するための制御信号を出力するデータ及びゲート制御部がそれぞれ具備される。
最近、データ及びゲート印刷回路基板が一つの印刷回路基板として統合され、データドライバとゲートドライバは一つの制御部によって制御される。ここで、一つに統合された印刷回路基板はデータＴＣＰを通じて液晶表示パネルと接続され、ゲートＴＣＰはデータＴＣＰを通じて制御部と電気的に接続される。
一方、印刷回路基板には制御部と外部装置とのデータ通信のためのインターフェースがさらに具備される。一般に、液晶表示装置で利用されるインターフェースは、トランジスタ−トランジスタロジック（ＴＴＬ）インターフェースである。ＴＴＬインターフェースを通じて受信された信号の標準電圧レベルは、３．３Ｖに規格化されている。
【０００４】
しかし、３．３Ｖのような低電圧信号を用いてゲートドライバを駆動させる場合、ゲートドライバは３．３Ｖ程度の低電圧レベルを有するゲート電圧を出力する。前述したように、複数のゲートラインは複数のデータラインと絶縁されて交差しており、複数のゲートラインと複数のデータラインとの間には寄生キャパシタンスが発生する。このとき、ゲート電圧は３．３Ｖのような低電圧レベルに保持されることにより、寄生キャパシタンスの影響を受けやすい。従って、この結果、歪曲されたゲート電圧によって液晶表示装置が誤動作を起こす可能性がある。
【発明の開示】
【発明が解決しようとする課題】
【０００５】
従って、本発明の目的は、誤動作を防止するための駆動ユニットを提供することにある。
また、本発明の他の目的は、前記した駆動ユニットを有する表示装置を提供することにある。
【課題を解決するための手段】
【０００６】
本発明の一特徴による駆動ユニットは、制御部、データドライバ、増幅部及びゲートドライバを含む。前記制御部は、外部から提供された外部信号に応答して、第１及び第２制御信号、階調電圧を出力し、前記データドライバは、前記第１制御信号及び階調電圧に応答して、データ電圧を提供する。前記増幅部は、前記第２制御信号の入力を受け第３制御信号に増幅させ、前記ゲートドライバは、前記第３制御信号に応答して複数の電圧を順次に出力する。
本発明の他の特徴による表示装置は表示パネル及び駆動ユニットを含み、前記駆動ユニットは制御部、データドライバ、増幅部及びゲートドライバからなる。
前記表示パネルは複数のゲートライン、前記複数のゲートラインと絶縁されるように複数のデータラインが具備され、ゲート電圧とデータ電圧に応答して画像を表示する。
前記制御部は、外部から提供された外部信号に応答して第１及び第２制御信号、階調電圧を出力する。前記データドライバは、前記データラインと電気的に接続され、前記第１制御信号と前記階調電圧に応答して、前記データラインに前記データ電圧を提供する。
【０００７】
前記増幅部は前記第２制御信号の入力を受け第３制御信号に増幅させ、前記ゲートドライバは前記ゲートラインと電気的に接続され、前記第３制御信号に応答して前記ゲートラインに前記ゲート電圧を順次に出力する。
このような駆動ユニット及びそれを有する表示装置によると、駆動ユニットにはゲートドライバに提供される信号を増幅させるための増幅部がさらに具備されることで、ゲートドライバから出力されるゲート電圧の歪曲によって表示装置が誤動作することを防止することができる。
このような駆動ユニット及びこれを有する表示装置においては、駆動ユニットには、ゲートドライバに提供される第１クロック信号と第１出力イネーブル信号を第２クロック信号と第２出力イネーブル信号に増幅させる増幅部がさらに具備される。
従って、ゲートドライバは増幅された前記第２クロック信号と第２出力イネーブル信号に応答して、従来例に対して高レベルのゲート電圧を出力する。これにより、ゲート電圧がノイズによって歪曲されても、ゲート電圧に応答して画像を表示する表示装置の誤動作を防止することができる。
【発明を実施するための最良の形態】
【０００８】
以下、図面を参照して、本発明の望ましい一実施形態をより詳細に説明する。
図１は本発明の一実施形態による駆動ユニットのブロック図である。
図１に示すように、本発明の一実施形態による駆動ユニット１００は制御部１１０、データドライバ１２０、増幅部１３０及びドライバ１４０を含む。
【０００９】
前記制御部１１０は、外部から外部信号ＥＳの入力を受け第１及び第２制御信号、階調電圧ＶＧＭＭＡを出力する。前記データドライバ１２０は、前記第１制御信号と階調電圧に応答してデータ電圧Ｖｄを出力する。前記増幅部１３０は、前記第２制御信号の入力を受け第３制御信号に増幅させる。また、前記ゲートドライバ１４０は、前記第３制御信号に応答して複数の出力端子に第１〜第ｎゲート電圧Ｖｇ１〜Ｖｇｎを順次に出力する。ここで、ｎは１以上の自然数である。
ここで、前記第１制御信号は、前記データドライバ１２０の動作を開始する水平開始信号ＳＴＨ及び駆動電圧ＡＶＤＤを含む。前記第２制御信号は、前記ゲートドライバ１４０の動作を開始する垂直開始信号ＳＴＶ、前記ゲートドライバ１４０から出力される前記第１〜第ｎゲート電圧Ｖｇ１〜Ｖｇｎの出力タイミングを決定する第１クロック信号ＣＰＶ１及び前記ゲートドライバ１４０から出力される前記第１〜第ｎゲート電圧が互いに異なる位相差を有するようにする第１出力イネーブル信号ＯＥ１を含む。
【００１０】
前記第１クロック信号及び第１出力イネーブル信号は、前記増幅部１３０によって前記第２クロック信号と第２出力イネーブル信号に増幅されて前記ゲートドライバ１４０に提供される。一方、垂直開始信号ＳＴＶは直接前記ゲートドライバ１４０に提供する。
図１では、前記垂直開始信号ＳＴＶが前記ゲートドライバ１４０の動作を開始するのにのみ利用されるので、増幅させていない構造のみが開示された。しかし、前記駆動ユニット１００は前記増幅部１３０を通じて前記垂直開始信号を増幅させた後、前記ゲートドライバ１４０に提供する構造を採用することができる。
【００１１】
以下、図２〜図３を参照して、前記増幅部の構造を具体的に説明する。
図２は図１に示された増幅部を具体的に示す図面であり、図３は図２に増幅部及びゲートドライバ１４０の入/出力波形図である。
図２に示すように、増幅部１３０は第１及び第２オペアンプ１３１、１３２を含む。
前記第１オペアンプ１３１は、第１クロック信号ＣＰＶ１と第１基準信号ＶＲＥＦ１の入力を受け、第１クロック信号と第１基準信号ＶＲＥＦ１との和である第２クロック信号ＣＰＶ２を出力する。前記第２オペアンプ１３２は、第１出力イネーブル信号ＯＥ１と第２基準信号ＶＲＥＦ２の入力を受け、第１出力イネーブル信号と第２基準信号ＶＲＥＦ２との和である第２出力イネーブル信号ＯＥ２を出力する。ここで、前記第１及び第２基準信号は、制御部（１１０、図１に図示）から提供された信号である。
【００１２】
図３に示されたように、前記第１クロック信号ＣＰＶ１は３．３Ｖにスイングする反面、前記第２クロック信号ＣＰＶ２は３．３Ｖより前記第１基準信号分だけ増加した１０Ｖにスイングする。
一方、前記第２クロック信号ＣＰＶ１に応答して、ゲートドライバ（１４０、図１に図示）は、第１〜第ｎゲート電圧Ｖｇ１〜Ｖｇｎを順次に出力する。例えば、前記第１ゲート電圧は、前記第２クロック信号ＣＰ２のハイ区間に応答して発生される。ここで、前記第１ゲート電圧は１０Ｖ程度の大きさを有する。従って、前記第１ゲート電圧Ｖｇ１がノイズによって歪曲されても、ノイズを除いた有効第１ゲート電圧Ｖｇ１’の電圧レベルが３．３Ｖ以上確保されることによって、前記ノイズによる前記ゲートドライバ１４０の誤動作を防止することができる。
【００１３】
図４は本発明の他の実施形態による増幅部のブロック図である。
図４に示すように、本発明の他の実施形態による増幅部１３０は第１及び第２オペアンプ１３１、１３２を含む。前記第１オペアンプ１３１の第１入力端子には前記制御部１１０からの第１クロック信号ＣＰＶ１が提供され、前記第２オペアンプ１３１の第２入力端子には駆動電圧ＡＶＤＤまたは階調電圧ＶＧＭＭＡが提供される。前記第２オペアンプ１３２の第１入力端子には前記制御部１１０からの第１出力イネーブル信号ＯＥ１が提供され、第２オペアンプ１３２の第２入力端子には前記駆動電圧ＡＶＤＤまたは階調電圧ＶＧＭＭＡが提供される。
【００１４】
従って、前記第１オペアンプ１３１は前記第１クロック信号ＣＰＶ１から前記駆動電圧ＡＶＤＤまたは階調電圧分だけ増加された第２クロック信号ＣＰＶ２を出力し、前記第２オペアンプ１３２は前記第１出力イネーブル信号ＯＥ１から前記駆動電圧ＡＶＤＤまたは階調電圧ＶＧＭＭＡ分だけ増加された第２出力イネーブル信号ＯＥ２を出力する。
前記駆動電圧ＡＶＤＤと前記階調電圧は、前記制御部１１０から出力されて前記データドライバ１２０を駆動させるのに利用される電圧である。一般に前記駆動電圧と前記階調電圧はＤＣ電圧である。
従って、第１及び第２オペアンプ１３１、１３２には、第１クロック信号及び第１出力イネーブル信号に同期させた状態で、駆動電圧ＡＶＤＤ又は階調電圧ＶＧＭＭＡを入力させる必要がある。
【００１５】
本発明の一実施形態として、前記駆動電圧ＡＶＤＤは１２Ｖの電圧レベルを有する。従って、前記第２クロック信号ＣＰＶ２と前記第２出力イネーブル信号ＯＥ２それぞれは、前記第１クロック信号ＣＰＶ１と前記第１出力イネーブル信号ＯＥ１より１２Ｖ分だけ増加された電圧レベルにスイングする。
図２及び図４に図示されていないが、前記増幅部１３０は前記垂直開始信号ＳＴＶを増幅させるための第３オペアンプをさらに含むことができる。
【００１６】
図５は本発明のさらに他の実施形態による表示装置の平面図であり。図６は図５に示されたＡ部分の拡大図である。
図５及び図６に示すように、本発明のこの実施形態による表示装置６０１は、画像を表示する表示パネル２００及び前記表示パネル２００を駆動させるための駆動ユニット（１００、図１に図示）を含む。
【００１７】
前記表示パネル２００は、第１表示基板２１０、前記第１表示基板２１０と対向して結合する第２基板２２０及び前記第１表示基板２１０と前記第２表示基板２２０との間に介在された液晶層で構成される。
前記第１表示基板２１０には第１〜第ｍデータラインＤＬ１〜ＤＬｍと第１〜第ｎゲートラインＧＬ１〜ＧＬｎが具備される。前記第１〜第ｍデータラインＤＬ１〜ＤＬｍは第１方向Ｄ１に延長され、前記第１〜第ｎゲートラインＧＬ１〜ＧＬｎは前記第１方向Ｄ１と直交する第２方向Ｄ２に延長される。ここで、ｎ及びｍは１以上の自然数である。またＢ部分に示されたように、前記第１〜第ｍデータラインＤＬ１〜ＤＬｍと前記第１〜第ｎゲートラインＤＬ１〜ＧＬｎは互いに絶縁されるように交差する。
【００１８】
前記第１表示基板２１０には複数の薄膜トランジスタと複数の画素電極が具備される。例えば、前記第１データラインＤＬ１は第１薄膜トランジスタＴＦＴ１のソース電極と接続され、前記第１ゲートラインＧＬ１は前記第１薄膜トランジスタＴＦＴ１のゲート電極と接続され、前記第１薄膜トランジスタＴＦＴ１のドレイン電極は第１画素電極Ｐ１と接続される。
図示されていないが、前記第２表示基板２２０には赤色画素、緑色画素及び青色画素からなるカラーフィルタ層及び前記複数の画素電極と向き合う共通電極が具備される
【００１９】
前記駆動ユニット１００は制御部１１０、データドライバ１２０、増幅部１３０及びゲートドライバ１４０を含む。前記駆動ユニット１００に対しては図１で説明されたので、図５では前記駆動ユニット１００に対する具体的な説明は省略する。
前記表示装置６０１は、印刷回路基板３００、第１〜第６データＴＣＰ４０１、４０２、４０３、４０４、４０５、４０６及び第１〜第４ゲートＴＣＰ５０１、５０２、５０３、５０４、をさらに含む。前記印刷回路基板３００上にはチップ形態の前記制御部１１０が具備される。
【００２０】
前記第１〜第６データＴＣＰ４０１〜４０６は、前記印刷回路基板３００と前記表示パネル２００の第１端部に付着され、前記印刷回路基板３００と前記表示パネル２００とを電気的に接続させる。また、前記第１〜第４ゲートＴＣＰ５０１〜５０４は、前記表示パネル２００の第２端部に付着される。
前記データドライバ１２０は第１〜第６データ駆動チップ４１１、４１２、４１３、４１４、４１５、４１６からなり、前記第１〜第６データ駆動チップ４１１〜４１６は前記第１〜第６データＴＣＰ４０１〜４０６上にそれぞれ具備される。前記ゲートドライバ１４０は第１〜第４ゲート駆動チップ５１１、５１２、５１３、５１４からなり、前記第１〜第４駆動チップは前記第１〜第４ゲートＴＣＰ５０１〜５０４上に具備される。
【００２１】
前記ゲートドライバ１４０は、前記印刷回路基板３００上に具備された前記制御部１１０に前記第１データＴＣＰ４０１を通じて電気的に接続される。特に、前記印刷回路基板３００と最も隣接する前記第１ゲート駆動チップ５１１は、前記第１データＴＣＰ４０１と前記表示パネル２００に形成された第１〜第３接続配線ＣＬ１、ＣＬ２、ＣＬ３を通じて前記制御部１１０と接続される。また、前記第１〜第４ゲート駆動チップ５１１〜５１４は、隣接するゲート駆動チップと前記第１〜第３接続配線ＣＬ１〜ＣＬ３を通じて電気的に接続される。
【００２２】
前記ゲートドライバ１４０に最も隣接する前記第１データ駆動チップ４１１には前記増幅部１３０が内蔵される。前記増幅部１３０は前記制御部１１０から出力された第１クロック信号（ＣＰＶ１、図１に図示）を第２クロック信号（ＣＰＶ２、図１に図示）に増幅させ、前記第１出力イネーブル信号（ＯＥ１、図１に図示）を第２出力イネーブル信号（ＯＣ２、図１に図示）に増幅させる。
前記増幅部１３９から出力された前記第２クロック信号ＣＰＶ２は前記第２接続配線ＣＬ２を通じて前記第１〜第４ゲート駆動チップ５１１〜５１４に提供され、前記第２出力イネーブル信号ＯＥ２は前記第３接続配線ＣＬ３を通じて前記第１〜第４ゲート駆動チップ５１１〜５１４に提供される。また、前記制御部１１０から出力された垂直開始信号（ＳＴＶ、図１に図示）は前記第１接続配線ＣＬ１を通じて前記第１〜第４ゲート駆動チップ５１１〜５１４に提供される。
【００２３】
前記印刷回路基板３００には外部装置（図示せず）と前記制御部１１０とのデータ通信のためのインターフェース３１０が具備され、前記インターフェース３１０は軟性フィルム３２０を通じて前記外部装置と電気的に接続される。本発明の一実施形態として、前記インターフェース３１０はＴＴＬインターフェースである。一般に、前記ＴＴＬインターフェースを通じて受信される信号の電圧レベルは３．３Ｖを有することで、前記ＴＴＬインターフェースのように低電圧インターフェースが前記表示装置６０１に利用される場合、特に前記増幅部１３０は必須的に具備される。
【００２４】
図３及び図５に示すように、外部装置から提供された第１クロック信号ＣＰＶ１の電圧レベルが３．３Ｖであっても、前記ゲートドライバ１４０は前記第１クロック信号ＣＰＶ１から増幅された前記第２クロック信号ＣＰＶ２に応答して１０Ｖの大きさを有する第１ゲート電圧を出力する。従って、ノイズによって前記第１ゲート電圧が歪曲されても、ノイズを除いた有効第１ゲート電圧Ｖｇ１’の電圧レベルが３．３Ｖ以上確保されることで、前記ノイズによる前記ゲートドライバ１４０の誤動作を防止することができる。
【００２５】
図７は、本発明の別の実施形態による表示装置の拡大図である。但し、図７に示された構成要素のうち、図６に示された構成要素と同一の構成要素に対しては同一の参照符号を付与し、その具体的な説明は省略する。
図７に示すように、本発明の別の実施形態による表示装置において、増幅部１３０は制御部１１０から出力された第１クロック信号（ＣＰＶ１、図１に図示）を第２クロック信号（ＣＰＶ２、図１に図示）に増幅させ、第１出力イネーブル信号（ＯＥ１、図１に図示）を第２出力イネーブル信号に増幅させる。ここで、前記増幅部１３０と前記制御部１１０は印刷回路基板３００に具備される。
【００２６】
従って、前記増幅部１３０から出力された前記第２クロック信号ＣＰＶ２は、前記ゲートドライバ１４０と最も隣接する前記第１データＴＣＰ４０１と表示パネル２００に形成された前記第２接続配線ＣＬ２を通じて、前記第１〜第４ゲート駆動チップ５１１〜５１４に提供される。前記第２出力イネーブル信号は、前記第１データＴＣＰ４０１と表示パネル２００に形成された前記第３接続配線ＣＬ３を通じて前記第１〜第４ゲート駆動チップ５１１〜５１４に提供される。また、前記制御部１１０から出力された垂直開始信号は、前記第１接続配線ＣＬ１を通じて前記第１〜第４ゲート駆動チップ５１１〜５１４に提供される。
【００２７】
図８は、本発明のさらに別の実施形態による表示装置の平面図である。但し，図８に示された構成要素のうち図５に示された構成要素と同一の構成要素に対しては同一の参照符号を付与し、その具体的な説明は省略する。
図８に示すように、本発明のさらに別の実施形態による表示装置６０２は、表示パネル２００、駆動ユニット（１００、図１に図示）、印刷回路基板３００、第１〜第６データ４０１〜４０６を含む。前記駆動ユニット１００は制御部１１０、データドライバ１２０、増幅部１３０及びゲートドライバ１４０で構成される。
前記制御部１１０はチップ形態からなり、前記印刷回路基板３００上に具備される。前記データドライバ１２０は第１〜第６データ駆動チップ４１１〜４１６からなり、前記第１〜第６データ駆動チップ４１１〜４１６は前記第１〜第６データＴＣＰ４０１〜４０６上にそれぞれ具備される。前記増幅部１３０は前記第１データ駆動チップ４１１に内蔵される。
【００２８】
前記増幅部１３０は、前記制御部１１０から出力された第１クロック信号（ＣＰＶ１、図１に図示）を第２クロック信号（ＣＰＶ２、図１に図示）に増幅させ、第１出力イネーブル信号（ＯＥ１、図に図示）を第２出力イネーブル信号（ＯＥ２、図２に図示）に増幅させる。
一方、前記ゲートドライバ１４０は一つのシフトレジスタ５５０からなり前記表示パネル２００に内蔵される。
前記表示パネル２００は、第１表示基板２１０、前記第１表示基板２１０と対向して結合する第２表示基板２２０、及び前記第１表示基板２１０と前記第２表示基板２２０との間に介在された液晶層（図示せず）からなる。前記第１表示基板２１０の表示領域ＤＡには、第１〜第ｍデータラインＤＬ１〜ＤＬｍ、第１〜第ｎゲートラインＧＬ１〜ＧＬｎ、複数の薄膜トランジスタ及び複数の画素電極が具備される。
【００２９】
前記シフトレジスタ５５０は複数のトランジスタ（図示せず）からなり、前記第１表示基板２１０の表示領域に複数の薄膜トランジスタを形成するとき、前記第１表示基板２１０の周辺領域ＰＡに前記シフトレジスタ５５０が形成される。
前記シフトレジスタ５５０は、前記制御部１１０からの垂直開始信号ＳＴＶの入力を受け、前記増幅部１３０からの前記第２クロック信号ＣＰＶ２と第２出力イネーブル信号ＯＥ２に応答して前記第１〜第ｎゲートラインＧＬ１〜ＧＬｎにゲート電圧を順次に出力する。
【００３０】
以上、本発明の実施形態によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００３１】
【図１】本発明の一実施形態による駆動ユニットのブロック図である。
【図２】図１に示された増幅部を具体的に示す図面である。
【図３】図２に示された増幅部の入／出力波形図である。
【図４】本発明の他の実施形態による増幅部を具体的に示す図面である。
【図５】本発明のさらに他の実施形態による表示装置の平面図である。
【図６】図５に示されたＡ部分の拡大図である。
【図７】本発明の別の実施形態による表示装置の拡大図である。
【図８】本発明のさらに別の実施形態による表示装置の平面図である。
【符号の説明】
【００３２】
１００      駆動ユニット
１１０      制御部
１２０      データドライバ
１３０      増幅部
１３１、１３２      第１及び第２オペアンプ
１４０      ゲートドライバ
２００    表示パネル
２１０      第１表示基板
２２０      第２表示基板
３００      印刷回路基板
４０１〜４０６      第１〜第６データＴＣＰ
４１１〜４１６      第１〜第６データ駆動チップ
５０１〜５０４      第１〜第４ゲートＴＣＰ
５１１〜５１４      第１〜第４ゲート駆動チップ
６０１、６０２      表示装置
【図１】
2006072289.tif 000003
【図２】
2006072289.tif 000004
【図３】
2006072289.tif 000005
【図４】
2006072289.tif 000006
【図５】
2006072289.tif 000007
【図６】
2006072289.tif 000008
【図７】
2006072289.tif 000009
【図８】
2006072289.tif 000010